(57)【特許請求の範囲】
【請求項１】
屋外の光を、光反射手段で建物の外壁に設けられた開口部に向けて反射させ前記開口部を介して屋内に採り込む採光装置であって、
前記光反射手段は、屋外の光を反射させる反射面を備え、前記反射面は、その上端が前記開口部から離隔する一方その下端が前記開口部の下端に近接するように配置され、
前記光反射手段は、薄膜を複数枚積層して構成されており、前記薄膜は表面側から一枚ずつ離脱可能である、採光装置。
【請求項２】
前記薄膜は、可撓性を有する、請求項１に記載の採光装置。
【請求項３】
前記光反射手段は、少なくとも上下端が支持部材に各々支持されており、前記支持部材の一方が他方から遠ざかること又は前記支持部材のうち少なくとも何れか一方が前記光反射手段を巻き取ることにより前記光反射手段に張力が加えられて前記反射面の断面形状が直線状になる一方、前記張力が解除されることにより前記光反射手段が自重で撓み前記反射面の断面形状が曲線状になるように構成される、請求項１又は２に記載の採光装置。
【請求項４】
屋外の光を、光反射手段で建物の外壁に設けられた開口部に向けて反射させ前記開口部を介して屋内に採り込む採光装置であって、
前記光反射手段は、屋外の光を反射させる反射面を備え、前記反射面は、その上端が前記開口部から離隔する一方その下端が前記開口部の下端に近接するように配置され、
前記光反射手段は、自重で変形することにより前記反射面の断面形状が曲線状になるように構成されるとともに、ヒンジで連結された複数枚の板状体で構成される、採光装置。
【請求項５】
前記光反射手段は、少なくとも上下端がヒンジを介して支持部材に各々支持されており、前記支持部材の一方が他方から遠ざかることにより前記光反射手段に張力が加えられて前記反射面の断面形状が直線状になる一方、前記張力が解除されることにより前記光反射手段が自重で変形し前記反射面の断面形状が曲線状になるように構成される、請求項４に記載の採光装置。
【請求項６】
前記光反射手段の上端を支持する支持部材は、前記外壁の近傍又は前記光反射手段の下端を支持する支持部材の近傍に移動可能とされる、請求項３又は５に記載の採光装置。
【請求項７】
屋外の光を、光反射手段で建物の外壁に設けられた開口部に向けて反射させ前記開口部を介して屋内に採り込む採光装置であって、
前記光反射手段は、屋外の光を反射させる反射面を備え、前記反射面は、その上端が前記開口部から離隔する一方その下端が前記開口部の下端に近接するように配置され、
前記光反射手段は、自重で変形することにより前記反射面の断面形状が曲線状になるように構成され、その上端と下端の間にある中間部分が中間支持部材によって支持されている、採光装置。
【請求項８】
前記中間支持部材は、鉛直方向及び／又は水平方向に移動可能とされる、請求項７に記載の採光装置。
【請求項９】
請求項１から８の何れか一項に記載の採光装置を用いた採光方法であって、
前記光反射手段の前記反射面の拡散反射率の増加に応じて、前記反射面の断面形状を直線状に近付ける、採光方法。
【請求項１０】
請求項１から８の何れか一項に記載の採光装置を備える、建物。
【発明の詳細な説明】
【技術分野】
【０００１】
本発明は、採光装置及び採光方法に関する。
【背景技術】
【０００２】
現在、屋外の光（直接光や天空光）を屋内に採り込むための採光装置を建物の開口部の近傍に取り付けて屋内の明るさを確保する技術が提案されている。例えば近年においては、中央部が下方に突出するような凹形状に湾曲した反射部材を用いた採光装置が提案されている（特許文献１参照）。特許文献１に記載された採光装置を用いると、建物の開口部を大きくすることなく多くの天空光を屋内に採り込むことができる、とされている。
【先行技術文献】
【特許文献】
【０００３】
【特許文献１】特開２０１４−１１０１０８号公報
【発明の概要】
【発明が解決しようとする課題】
【０００４】
ところで、特許文献１に記載された従来の採光装置の反射部材は、建物の外壁から持ち出された支持部材により支持されている。また、反射部材は、金属製の比較的重い部材で構成されるのが一般的である。このような従来の採光装置で使用されていた比較的重い反射部材を建物で支持させるためには、反射部材自体の重量に加えて反射部材が受ける風荷重や積雪荷重を考慮した建物設計をする必要があり、コスト増が懸念される。また、比較的重い反射部材は、既存建物への取付けが困難な場合があった。
【０００５】
本発明は、かかる事情に鑑みてなされたものであり、建物への負担が少ない採光装置を提供することを目的とする。
【課題を解決するための手段】
【０００６】
前記目的を達成するため、本発明に係る採光装置は、屋外の光を、光反射手段で建物の外壁に設けられた開口部に向けて反射させ開口部を介して屋内に採り込むものであって、光反射手段は、屋外の光を反射させる反射面を備え、反射面は、その上端が開口部から離隔する一方その下端が開口部の下端に近接するように配置され、光反射手段は、自重で変形することにより反射面の断面形状が曲線状になるように構成されるものである。
【０００７】
かかる構成を採用すると、光反射手段の反射面は、その上端が建物の開口部から離隔する一方その下端が建物の開口部の下端に近接するように配置されており、かつ、光反射手段が自重で変形することにより反射面の断面形状が曲線状になるように構成されているため、鉛直方向下方に向けて入射する屋外の光を、曲面状の反射面で拡散させ（まぶしさを軽減させ）ながら反射させて開口部へと導くことができる。また、自重で変形するような比較的軽い材料で光反射手段を構成するため、光反射手段を建物で支持する際に用いる支持部材を簡素化することができ、建物に対する負担を軽減することができるとともに、既存建物への取付け作業を容易にすることができる。
【０００８】
本発明に係る採光装置において、可撓性を有する薄膜で光反射手段を構成することができる。
【０００９】
かかる構成を採用すると、光反射手段が可撓性を有する薄膜で構成されるため、材料劣化による交換やメンテナンスが格段に容易となる。また、積雪時や強風時には光反射手段を折り畳んで収納することも可能となる。
【００１０】
本発明に係る採光装置において、可撓性を有する薄膜を複数枚積層して構成した光反射手段を採用し、薄膜を表面側から一枚ずつ離脱可能とすることができる。
【００１１】
かかる構成を採用すると、可撓性を有する薄膜を複数枚積層して構成した光反射手段を採用し、薄膜は表面側から一枚ずつ離脱可能であるため、劣化した薄膜を離脱させて新たな薄膜を用いることができる。従って、材料交換に要する労力や費用を節減させることができる。
【００１２】
本発明に係る採光装置において、可撓性を有する薄膜で構成された光反射手段の少なくとも上下端を支持部材に各々支持させ、支持部材の一方を他方から遠ざけること又は支持部材のうち少なくとも何れか一方で光反射手段を巻き取ることにより光反射手段に張力を加えて反射面の断面形状を直線状とする一方、この張力を解除することにより光反射手段を自重で撓ませ反射面の断面形状を曲線状とすることができる。
【００１３】
かかる構成を採用すると、光反射手段の上下端を支持する支持部材の一方を他方から遠ざける（又は支持部材のうち少なくとも何れか一方で光反射手段を巻き取る）ことにより、光反射手段に張力を加えて反射面の断面形状を直線状とすることができる。一方、加えた張力を解除することにより、光反射手段を自重で撓ませ反射面の断面形状を曲線状とすることができる。すなわち、光反射手段の上下端を支持する支持部材を移動させたり支持部材による巻取り操作を行ったりすることにより、光反射手段の断面形状を容易に変更することができる。従って、例えば、材料特性の経年変化や埃等の堆積に起因して光反射手段の反射面の拡散性が高くなった場合には、光反射手段に張力を加えて撓みを抑え反射面の断面形状を直線状にすることにより、良好な採光状態を得ることができる。
【００１４】
本発明に係る採光装置において、ヒンジで連結された複数枚の板状体で光反射手段を構成することもできる。
【００１５】
かかる構成を採用すると、光反射手段がヒンジで連結された複数枚の板状体で構成されるため、薄膜と比較すると風雨による光反射手段の変形を抑制することができ、光反射手段の形状の維持が容易となるという利点がある。また、積雪時や強風時には光反射手段を折り畳んで収納することも可能となる。
【００１６】
本発明に係る採光装置において、ヒンジで連結された複数枚の板状体で構成された光反射手段の少なくとも上下端をヒンジを介して支持部材に各々支持させ、支持部材の一方を他方から遠ざけることにより光反射手段に張力を加えて反射面の断面形状を直線状とする一方、この張力を解除されることにより光反射手段を自重で変形させ反射面の断面形状を曲線状とすることができる。
【００１７】
かかる構成を採用すると、光反射手段の上下端を支持する支持部材の一方を他方から遠ざけることにより、光反射手段に張力を加えて反射面の断面形状を直線状とすることができる。一方、加えた張力を解除することにより、光反射手段を自重で変形させ反射面の断面形状を曲線状とすることができる。すなわち、光反射手段の上下端を支持する支持部材を移動させることにより、光反射手段の断面形状を容易に変更することができる。従って、例えば、材料特性の経年変化や埃等の堆積に起因して光反射手段の反射面の拡散性が高くなった場合には、光反射手段に張力を加えて変形を抑え反射面の断面形状を直線状にすることにより、良好な採光状態を得ることができる。
【００１８】
本発明に係る採光装置において、光反射手段の上端を支持する支持部材を、外壁の近傍又は光反射手段の下端を支持する支持部材の近傍に移動可能とすることができる。
【００１９】
かかる構成を採用すると、例えば光反射手段の非使用時、積雪時、強風時等において、光反射手段の上端を支持する支持部材を、外壁の近傍（又は光反射手段の下端を支持する支持部材の近傍）に移動させることにより、光反射手段を外壁付近に収納することができる。
【００２０】
本発明に係る採光装置において、光反射手段の上端と下端の間にある中間部分を、中間支持部材によって支持することができる。
【００２１】
かかる構成を採用すると、光反射手段の上端と下端の間にある中間部分を中間支持部材によって支持することができるので、光反射手段が比較的大きな面積を有していたり比較的柔らかい材料で構成されていたりすることに起因して光反射手段の撓みが大きい場合においても、良好な採光状態を得ることができる。
【００２２】
本発明に係る採光装置において、中間支持部材を、鉛直方向及び／又は水平方向に移動可能とすることができる。
【００２３】
かかる構成を採用すると、中間支持部材が鉛直方向や水平方向に移動可能とされるため、光反射手段の中間部分の支持位置を変更することができる。従って、光反射手段による光の拡散状態及び反射方向を制御することができる。
【００２４】
また、本発明に係る採光方法は、本発明に係る採光装置を用いた採光方法であって、光反射手段の反射面の拡散反射率の増加に応じて、反射面の断面形状を直線状に近付けるものである。
【００２５】
かかる方法を採用すると、例えば、材料特性の経年変化や埃等の堆積に起因して光反射手段の反射面の拡散反射率が増加した（拡散性が高くなった）場合には、光反射手段の変形を抑え反射面の断面形状を直線状に近付けることにより、良好な採光状態を得ることができる。
【発明の効果】
【００２６】
本発明によれば、建物への負担が少ない採光装置を提供することが可能となる。
【図面の簡単な説明】
【００２７】
【図１】本発明の第一実施形態に係る採光装置の構成を説明するための構成図である。
【図２】本発明の第一実施形態に係る採光装置の光反射部材の断面形状を直線状にした状態を示す説明図である。
【図３】本発明の第二実施形態に係る採光装置の構成を説明するための構成図である。
【図４】本発明の第三実施形態に係る採光装置の構成を説明するための構成図である。
【図５】本発明の第四実施形態に係る採光装置の構成を説明するための構成図である。
【図６】本発明の第四実施形態に係る採光装置の光反射部材の断面形状を直線状にした状態を示す説明図である。
【発明を実施するための形態】
【００２８】
以下、図面を参照して、本発明の各実施形態について説明する。なお、以下の各実施形態はあくまでも好適な適用例であって、本発明の適用範囲がこれに限定されるものではない。
【００２９】
＜第一実施形態＞
まず、図１及び図２を用いて、本発明の第一実施形態に係る採光装置１の構成について説明する。本実施形態に係る採光装置１は、図１に示すように、屋外の光（直接光や天空光）Ｌを、建物の外壁Ｗに設けられた開口部Ｏを介して屋内に採り込むためのものであり、屋外の光Ｌを開口部Ｏに向けて反射させる光反射手段１０と、光反射手段１０の上端１１を支持する上端支持部材２０と、光反射手段１０の下端１２を支持する下端支持部材３０と、を備えている。
【００３０】
光反射手段１０は、図１に示すように、屋外の光Ｌを反射させる反射面１３を有している。本実施形態における光反射手段１０の反射面１３は平面視で矩形状を呈しており、その上端１１は開口部Ｏから離隔するように配置される一方、その下端１２は開口部Ｏの下端に近接するように配置されている。光反射手段１０は、比較的軽量で可撓性を有する薄膜（例えばアルミニウム箔）からなり、自重で撓むことにより、図１に示すように反射面１３の断面形状が曲線状になるように構成されている。なお、光反射手段１０を構成する薄膜としては、アルミニウム箔に限られるものではなく、例えば高反射型プリズムシート等を採用することもできる。
【００３１】
光反射手段１０の上端１１を支持する上端支持部材２０は、建物の外壁Ｗに取り付けられた図示されていないアームによって、開口部Ｏの上端から水平方向に所定寸法だけ離隔した位置に固定されている。一方、光反射手段１０の下端１２を支持する下端支持部材３０は、地面に立てられた図示されていない支持棒によって、開口部Ｏの下端に近接した位置に固定されている。
【００３２】
下端支持部材３０には、光反射手段１０を巻き取る巻取機構が設けられており、図２に示すようにその巻取機構で光反射手段１０を巻き取ることにより、光反射手段１０に張力を加えて反射面１３の断面形状を直線状とすることができる。一方、光反射手段１０は、下端支持部材３０の巻取機構による巻取りを緩めて張力を解除すると自重で撓み、図１に示すように反射面１３の断面形状が曲線状になるように構成されている。
【００３３】
次に、本実施形態に係る採光装置１を用いた採光方法について説明する。
【００３４】
採光装置１の光反射手段１０の反射面１３の拡散反射率が比較的小さい（鏡面反射率が比較的大きい）ときには、図１に示すように、下端支持部材３０の巻取機構による巻取りを緩めて光反射手段１０を自重で撓ませ、反射面１３の断面形状が曲線状になるようにする。一方、採光装置１の光反射手段１０の反射面１３の拡散反射率が比較的大きく（鏡面反射率が比較的小さく）なったときには、図２に示すように、下端支持部材３０の巻取機構で光反射手段１０を巻き取ることにより、光反射手段１０に張力を加えて反射面１３の断面形状を直線状に近付けるようにする。このようにすると、材料特性の経年変化や埃等の堆積に起因して光反射手段１０の反射面１３の拡散反射率が増加した（拡散性が高くなった）場合にも良好な採光状態を得ることができる。
【００３５】
以上説明した実施形態に係る採光装置１においては、光反射手段１０の反射面１３の上端１１が建物の開口部Ｏから離隔する一方、反射面１３の下端１２が建物の開口部Ｏの下端に近接するように配置されており、かつ、光反射手段１０が自重で撓むことにより反射面１３の断面形状が曲線状になるように構成されているため、鉛直方向下方に向けて入射する屋外の光Ｌを、曲面状の反射面１３で拡散させ（まぶしさを軽減させ）ながら反射させて開口部Ｏへと導くことができる。また、自重で撓むような比較的軽い材料で光反射手段１０を構成するため、光反射手段１０を建物で支持する際に用いる上端支持部材２０を簡素化することができ、建物に対する負担を軽減することができるとともに、既存建物への取付け作業を容易にすることができる。
【００３６】
また、以上説明した実施形態に係る採光装置１においては、光反射手段１０が可撓性を有する薄膜で構成されるため、材料劣化による交換やメンテナンスが格段に容易となる。また、積雪時や強風時には光反射手段１０を折り畳んで収納することも可能となる。
【００３７】
また、以上説明した実施形態に係る採光装置１においては、光反射手段１０の下端１２を支持する下端支持部材３０で光反射手段１０を巻き取ることにより、光反射手段１０に張力を加えて反射面１３の断面形状を直線状とすることができる。一方、加えた張力を解除することにより、光反射手段１０を自重で撓ませ反射面１３の断面形状を曲線状とすることができる。すなわち、光反射手段１０の下端支持部材３０による巻取り操作を行うことにより、光反射手段１０の断面形状を容易に変更することができる。従って、材料特性の経年変化や埃等の堆積に起因して光反射手段１０の反射面１３の拡散性が高くなった場合においても、光反射手段１０に張力を加えて撓みを抑え反射面１３の断面形状を直線状にすることにより、良好な採光状態を得ることができる。
【００３８】
＜第二実施形態＞
次に、図３を用いて、本発明の第二実施形態に係る採光装置１Ａについて説明する。本実施形態に係る採光装置１Ａは、第一実施形態に係る採光装置１の反射部材の構成を変更したものであり、その他の構成については第一実施形態と実質的に同一である。このため、第一実施形態と共通する構成については、第一実施形態と同一の符号を付して詳細な説明を省略することとする。
【００３９】
本実施形態に係る採光装置１Ａは、図３に示すように、屋外の光Ｌを、建物の外壁Ｗに設けられた開口部Ｏを介して屋内に採り込むためのものであり、屋外の光Ｌを開口部Ｏに向けて反射させる光反射手段１０Ａと、光反射手段１０Ａの上端１１Ａを支持する上端支持部材２０と、光反射手段１０Ａの下端１２Ａを支持する下端支持部材３０と、を備えている。上端支持部材２０及び下端支持部材３０は、第一実施形態におけるものと実質的に同一であるので、詳細な説明を省略する。
【００４０】
本実施形態における光反射手段１０Ａは、第一実施形態と同様に、屋外の光Ｌを反射させる反射面１３Ａを有している。反射面１３Ａは平面視で矩形状を呈しており、その上端１１Ａは開口部Ｏから離隔するように配置される一方、その下端１２Ａは開口部Ｏの下端に近接するように配置されている。光反射手段１０Ａは、比較的軽量で可撓性を有する薄膜（例えばアルミニウム箔）１０ａを複数枚積層して構成したものであり、第一実施形態と同様に自重で撓むことにより、反射面１３Ａの断面形状が曲線状になるように構成されている。光反射手段１０Ａを構成する薄膜１０ａは、表面側から一枚ずつ離脱可能とされている。
【００４１】
以上説明した実施形態に係る採光装置１Ａは、第一実施形態と同様の作用効果を奏することができる。また、本実施形態に係る採光装置１Ａにおいては、可撓性を有する薄膜１０ａを複数枚積層して構成された光反射手段１０Ａを採用しており、薄膜１０ａは表面側から一枚ずつ離脱可能であるため、劣化した薄膜１０ａを離脱させて新たな薄膜１０ａを用いることができる。従って、材料交換に要する労力や費用を節減させることができる。
【００４２】
＜第三実施形態＞
次に、図４を用いて、本発明の第三実施形態に係る採光装置１Ｂについて説明する。本実施形態に係る採光装置１Ｂは、第一実施形態に係る採光装置１に新たな部材（中間支持部材４０）を追加したものであり、その他の構成については第一実施形態と実質的に同一である。このため、第一実施形態と共通する構成については、第一実施形態と同一の符号を付して詳細な説明を省略することとする。
【００４３】
本実施形態に係る採光装置１Ｂは、図４に示すように、屋外の光Ｌを、建物の外壁Ｗに設けられた開口部Ｏを介して屋内に採り込むためのものであり、屋外の光Ｌを開口部Ｏに向けて反射させる光反射手段１０と、光反射手段１０の上端１１を支持する上端支持部材２０と、光反射手段１０の下端１２を支持する下端支持部材３０と、光反射手段１０の上端１１と下端１２の間にある中間部分１４を支持する中間支持部材４０と、を備えている。光反射手段１０、上端支持部材２０及び下端支持部材３０は、第一実施形態におけるものと実質的に同一であるので、詳細な説明を省略する。
【００４４】
中間支持部材４０は、図４に示すように、下方に撓んでいた光反射手段１０の中間部分１４を若干上方に押し上げた状態で支持するものである。本実施形態における中間支持部材４０は、地面に立てられた図示されていない支持棒によって、地面から所定高さの位置に固定されている。なお、中間支持部材４０を鉛直方向及び／又は水平方向に移動させるための移動機構を設けることもできる。このようにすると、光反射手段１０の中間部分１４の支持位置を変更することができるので、光反射手段１０による光の拡散状態及び反射方向を制御することができる。さらに、中間支持部材４０を複数設けてもよい。
【００４５】
以上説明した実施形態に係る採光装置１Ｂは、第一実施形態と同様の作用効果を奏することができる。また、本実施形態に係る採光装置１Ｂにおいては、光反射手段１０の上端１１と下端１２の間にある中間部分１４を中間支持部材４０によって支持することができるので、光反射手段１０が比較的大きな面積を有していたり比較的柔らかい材料で構成されていたりすることに起因して光反射手段１０の撓みが大きい場合においても、良好な採光状態を得ることができる。
【００４６】
＜第四実施形態＞
次に、図５及び図６を用いて、本発明の第四実施形態に係る採光装置１Ｃについて説明する。本実施形態に係る採光装置１Ｃは、第一実施形態に係る採光装置１の光反射手段及び支持部材の構成を変更したものであり、その他の構成については第一実施形態と実質的に同一である。このため、第一実施形態と共通する構成については、第一実施形態と同一の符号を付して詳細な説明を省略することとする。
【００４７】
本実施形態に係る採光装置１Ｃは、図５に示すように、屋外の光Ｌを、建物の外壁Ｗに設けられた開口部Ｏを介して屋内に採り込むためのものであり、屋外の光Ｌを開口部Ｏに向けて反射させる光反射手段１０Ｃと、光反射手段１０Ｃの上端１１Ｃを支持する上端支持部材２０Ｃと、光反射手段１０Ｃの下端１２Ｃを支持する下端支持部材３０Ｃと、を備えている。
【００４８】
本実施形態における光反射手段１０Ｃは、第一実施形態と同様に、屋外の光Ｌを反射させる反射面１３Ｃを有している。反射面１３Ｃは平面視で矩形状を呈しており、その上端１１Ｃは開口部Ｏから離隔するように配置される一方、その下端１２Ｃは開口部Ｏの下端に近接するように配置されている。光反射手段１０Ｃは、ヒンジ１０Ｈで連結された複数枚の板状体１０Ｐで構成されており、自重で変形して反射面１３Ｃの断面形状が曲線状になるように構成されている。板状体１０Ｐの材料としては、金属よりも軽量な合成樹脂等を採用することができる。この場合、合成樹脂製の板状体１０Ｐの表面に鏡面加工を施して反射面１３Ｃを形成するようにする。
【００４９】
光反射手段１０Ｃの上端１１Ｃをヒンジ１１Ｈを介して支持する上端支持部材２０Ｃは、建物の外壁Ｗに取り付けられた伸縮、折畳み、回動自在なアーム５０Ｃによって、開口部Ｏの上端から水平方向に所定寸法だけ離隔した位置に配置されている。上端支持部材２０Ｃは、アーム５０Ｃによって、外壁Ｗの近傍から下端支持部材３０Ｃの近傍まで移動可能とされている。本実施形態においては、図６に示すように、アーム５０Ｃで上端支持部材２０Ｃを下端支持部材３０Ｃから遠ざけることにより、光反射手段１０Ｃに張力を加えて反射面１３Ｃの断面形状を直線状とすることができる。一方、上端支持部材２０Ｃを図５に示す位置に戻すことにより、光反射手段１０Ｃに加えられていた張力を解除すると、光反射手段１０Ｃは自重で変形し、反射面１３Ｃの断面形状が曲線状になるように構成されている。
【００５０】
光反射手段１０Ｃの下端１２Ｃをヒンジ１２Ｈを介して支持する下端支持部材３０Ｃは、地面に立てられた図示されていない支持棒によって、開口部Ｏの下端に近接した位置に固定されている。本実施形態における下端支持部材３０Ｃには、光反射手段１０Ｃを巻き取る巻取機構は設けられていない。
【００５１】
以上説明した実施形態に係る採光装置１Ｃは、第一実施形態と同様の作用効果を奏することができる。また、本実施形態に係る採光装置１Ｃにおいては、光反射手段１０Ｃがヒンジ１０Ｈで連結された複数枚の板状体１０Ｐで構成されるため、薄膜と比較すると風雨による光反射手段１０Ｃの変形を抑制することができ、光反射手段１０Ｃの形状の維持が容易となるという利点がある。また、積雪時や強風時には光反射手段１０Ｃを折り畳んで収納することも可能となる。
【００５２】
また、以上説明した実施形態に係る採光装置１Ｃにおいては、上端支持部材２０Ｃを下端支持部材３０Ｃから遠ざけることにより、光反射手段１０Ｃに張力を加えて反射面１３Ｃの断面形状を直線状とすることができる。一方、加えた張力を解除することにより、光反射手段１０Ｃを自重で変形させ反射面１３Ｃの断面形状を曲線状とすることができる。すなわち、上端支持部材２０Ｃを移動させることにより、光反射手段１０Ｃの断面形状を容易に変更することができる。従って、材料特性の経年変化や埃等の堆積に起因して光反射手段１０Ｃの反射面１３Ｃの拡散性が高くなった場合には、光反射手段１０Ｃに張力を加えて変形を抑え反射面１３Ｃの断面形状を直線状にすることにより、良好な採光状態を得ることができる。
【００５３】
また、以上説明した実施形態に係る採光装置１Ｃにおいては、上端支持部材２０Ｃがアーム５０Ｃによって移動可能とされているため、光反射手段１０Ｃの非使用時、積雪時、強風時等において、上端支持部材２０Ｃを外壁Ｗの近傍（又は下端支持部材３０Ｃの近傍）に移動させることにより、光反射手段１０Ｃを外壁Ｗ付近に収納することができる。
【００５４】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００５５】
１・１Ａ・１Ｂ・１Ｃ…採光装置
１０・１０Ａ・１０Ｃ…光反射手段
１０ａ…薄膜
１０Ｈ…ヒンジ
１０Ｐ…板状体
１１・１１Ａ・１１Ｃ…上端
１１Ｈ…ヒンジ
１２・１２Ａ・１２Ｃ…下端
１２Ｈ…ヒンジ
１３・１３Ａ・１３Ｃ…反射面
１４…中間部分
２０・２０Ｃ…上端支持部材
３０・３０Ｃ…下端支持部材
４０…中間支持部材
Ｌ…屋外の光
Ｏ…開口部
Ｗ…外壁
【図１】
0006446228.tif 000002
【図２】
0006446228.tif 000003
【図３】
0006446228.tif 000004
【図４】
0006446228.tif 000005
【図５】
0006446228.tif 000006
【図６】
0006446228.tif 000007